(57)【特許請求の範囲】
【請求項１】
弾性材製のブーツ本体（２）の可撓部（２ａ）を軸方向に反転させて前記ブーツ本体（２）の大径側端部（２ｂ）をアダプタ（３）に挿入固定する自在継手用ブーツ（１）であって、前記ブーツ本体（２）を前記アダプタ（３）と組み合わせるべく前記可撓部（２ａ）を反転させたときにその弾性復帰力に基づいて前記大径側端部（２ｂ）に反りが発生し、前記大径側端部（２ｂ）が中心軸線（０）に対して所定角度傾斜する斜面状をなし、この斜面状をなす前記大径側端部（２ｂ）を軸方向に相対移動させて前記アダプタ（３）のカシメ部（３ａ）に挿入する自在継手用ブーツ（１）において、
前記可撓部（２ａ）と前記大径側端部（２ｂ）との間に、反転前の状態において前記可撓部（２ａ）側から前記大径側端部（２ｂ）側へかけて径寸法が徐々に縮小する斜面状の反り防止部（２ｄ）を一体成形することにより、前記大径側端部（２ｂ）に発生する反りをキャンセルし、反転前に円筒形であった前記大径側端部（２ｂ）が反転後も同じく円筒形を維持することを特徴とする自在継手用ブーツ。
【発明の詳細な説明】
【０００１】
【発明の属する技術分野】
本発明は、自在継手の作動部を被覆保護するために用いられる自在継手用ブーツに関するものである。
【０００２】
【従来の技術】
従来から、図３に示すように、熱可塑性エラストマー等の弾性材によって成形されたブーツ本体５２と、鉄等の剛材によって成形されたアダプタ５３とを有し、ブーツ本体５２の軸方向中央の可撓部５２ａを軸方向に反転させてブーツ本体５２の大径側端部５２ｂをアダプタ５３のカシメ部５３ａに挿入し、カシメ固定してなる自在継手用ブーツ５１が知られており、このブーツ５１は、ブーツ本体５２の小径側端部５２ｃを自在継手（図示せず）の軸部の外周に固定するとともに、アダプタ５３の取付部５３ｂを自在継手のアウターレースの外周に固定することにより自在継手に装着されるものであって、例えばプロペラシャフト用ＣＶＪブーツ等として用いられる。
【０００３】
しかしながら、この従来のブーツ５１には、以下のような不都合がある。
【０００４】
すなわち、弾性材製のブーツ本体５２は、上記したように軸方向中央の可撓部５２ａを軸方向に反転させてその大径側端部５２ｂをアダプタ５３のカシメ部５３ａに挿入固定されるが、その反転前は図４に示す形状とされており、すなわち径寸法が徐々に拡大する斜面状の可撓部５２ａの先端に大径側端部５２ｂが直接連続成形されて、この大径側端部５２ａは当該ブーツ５１の中心軸線０と略平行な円筒面状に成形されている。
【０００５】
したがって、このような形状のブーツ本体５２をアダプタ５３と組み合わせるべく可撓部５２ａを矢印Ａ方向に反転させると、その弾性復帰力に基づいて円筒面状の大径側端部５２ｂに反りが発生し、この大径側端部５２ｂが中心軸線０に対して所定角度θ１ 傾斜する斜面状ないしラッパ状をなし、この斜面状ないしラッパ状をなす大径側端部５２ｂを軸方向に相対移動させてアダプタ５３のカシメ部５３ａに挿入することになるために、大径側端部５２ｂをカシメ部５３ａに挿入しにくく、挿入作業性が著しく損われてしまう。
【０００６】
【発明が解決しようとする課題】
本発明は以上の点に鑑み、ブーツ本体をアダプタと組み合わせるべくブーツ本体の可撓部を軸方向に反転させたときに、ブーツ本体の大径側端部が斜面状ないしラッパ状に開くことがなく、もって大径側端部をアダプタに挿入する作業性を向上させることが可能な自在継手用ブーツを提供することを目的とする。
【０００７】
【課題を解決するための手段】
上記目的を達成するため、本発明の自在継手用ブーツは、弾性材製のブーツ本体の可撓部を軸方向に反転させて前記ブーツ本体の大径側端部をアダプタに挿入固定する自在継手用ブーツであって、前記ブーツ本体を前記アダプタと組み合わせるべく前記可撓部を反転させたときにその弾性復帰力に基づいて前記大径側端部に反りが発生し、前記大径側端部が中心軸線に対して所定角度傾斜する斜面状をなし、この斜面状をなす前記大径側端部を軸方向に相対移動させて前記アダプタのカシメ部に挿入する自在継手用ブーツにおいて、前記可撓部と前記大径側端部との間に、反転前の状態において前記可撓部側から前記大径側端部側へかけて径寸法が徐々に縮小する斜面状の反り防止部を一体成形することにより、前記大径側端部に発生する反りをキャンセルし、反転前に円筒形であった前記大径側端部が反転後も同じく円筒形を維持することを特徴とするものである。
【０００８】
上記構成を備えた本発明の自在継手用ブーツのように、弾性材製のブーツ本体における可撓部と大径側端部との間に、反転前の状態において可撓部側から大径側端部側へかけて径寸法が徐々に縮小する斜面状の反り防止部が一体成形されると、この反り防止部の傾斜の向きにより、大径側端部に従来発生していた反りがキャンセルされることになる。したがって、反転前に円筒形であった大径側端部が、反転後においても同じく円筒形を維持することになる。後記するように、反転前における反り防止部の傾斜角度は１０〜２０ｄｅｇ程度が好ましい。
【０００９】
【発明の実施の形態】
つぎに本発明の実施例を図面にしたがって説明する。
【００１０】
図１は、当該実施例に係る自在継手用ブーツ１の断面図を示しており、そのブーツ本体２をアダプタ３と組み合わせる以前の状態が図２に示されている。
【００１１】
当該実施例に係るブーツ１は、以下のように構成されている。
【００１２】
すなわち、当該ブーツ１は先ず、熱可塑性エラストマー等の弾性材によって成形されたブーツ本体（狭義のブーツとも称する）２と、鉄等の剛材によって成形されたアダプタ３とを有しており、ブーツ本体２の軸方向中央の可撓部２ａが軸方向に反転せしめられてブーツ本体２の大径側端部２ｂがアダプタ３のカシメ部３ａに挿入され、カシメ固定されている。
【００１３】
図２に示すように、弾性材製のブーツ本体２は、その反転前の状態において先ず、軸方向一端から軸方向他端にかけて径寸法が徐々に拡大する斜面状ないしテーパ面状の可撓部２ａを有しており、この可撓部２ａの一端側に円筒状の小径側取付部（小径側端部とも称する）２ｃが一体成形されるとともに、可撓部２ａの他端側に同じく円筒状の大径側端部２ｂが一体成形されており、可撓部２ａと大径側端部２ｂとの間に、反転前の状態において可撓部２ａ側から大径側端部２ｂ側へかけて径寸法が徐々に縮小する斜面状ないしテーパ面状の反り防止部２ｄが一体成形されている。
【００１４】
この反り防止部２ｄは、当該ブーツ１の中心軸線０に対して所定角度θ２ 傾斜するように形成されており、その傾斜角度θ２ は、上記従来技術における大径側端部５２ｂの反転後の反りの角度θ１ が１０〜２０ｄｅｇであったのに対して、これと相殺すべく、やはり１０〜２０ｄｅｇ（好ましくは１５〜２０ｄｅｇ）に設定されている。
【００１５】
上記構成を備えたブーツ１は、自在継手（図示せず）の作動部を被覆保護すべく、ブーツ本体２の小径側取付部２ｃを自在継手の軸部の外周に固定するとともにアダプタ３の取付部３ｂを自在継手のアウターレースの外周に固定することにより自在継手に装着され、例えばプロペラシャフト用ＣＶＪブーツ等として用いられるものであって、上記構成により以下の作用効果を奏する点に特徴を有している。
【００１６】
すなわち、上記したように、弾性材製のブーツ本体２における可撓部２ａと大径側端部２ｂとの間に、反転前の状態において可撓部２ａ側から大径側端部２ｂ側へかけて径寸法が徐々に縮小する斜面状ないしテーパ面状の反り防止部２ｄが一体成形されているために、この反り防止部２ｄの傾斜の向きおよび角度によって、大径側端部２ｂに従来発生していた反りが相殺され、反転前に円筒形であった大径側端部２ｂが、図２に鎖線で示すように、反転後においても同じく円筒形を維持することになる。したがって、このように円筒形であることを維持する大径側端部２ｂを軸方向に相対移動させてアダプタ３のカシメ部３ａに挿入することになるために、大径側端部２ｂをカシメ部３ａに挿入し易く、挿入作業性を格段に向上させることができる。
【００１７】
【発明の効果】
本発明は、以下の効果を奏する。
【００１８】
すなわち、上記構成を備えた本発明の自在継手用ブーツにおいては、弾性材製のブーツ本体における可撓部と大径側端部との間に、反転前の状態において可撓部側から大径側端部側へかけて径寸法が徐々に縮小する斜面状の反り防止部が一体成形されているために、この反り防止部の傾斜の向きおよび角度によって、大径側端部に従来発生していた反りが相殺され、反転前に円筒形であった大径側端部が反転後においても同じく円筒形を維持することになる。したがって、このように円筒形であることを維持する大径側端部を軸方向に相対移動させてアダプタに挿入することになるために、大径側端部をアダプタに挿入し易く、挿入作業性を格段に向上させることができる。
【図面の簡単な説明】
【図１】本発明の実施例に係る自在継手用ブーツの半裁断面図
【図２】同ブーツにおけるブーツ本体をアダプタと組み合わせる以前の状態を示す半裁断面図
【図３】従来例に係る自在継手用ブーツの半裁断面図
【図４】同ブーツにおけるブーツ本体をアダプタと組み合わせる以前の状態を示す半裁断面図
【符号の説明】
１  自在継手用ブーツ
２  ブーツ本体
２ａ  可撓部
２ｂ  大径側端部
２ｃ  小径側取付部
２ｄ  反り防止部
３  アダプタ
３ａ  カシメ部
３ｂ  取付部
０  中心軸線
【図１】
0004257474.tif 000002
【図２】
0004257474.tif 000003
【図３】
0004257474.tif 000004
【図４】
0004257474.tif 000005